(57)【要約】【課題】複雑な機構を用いることなく、例えばＢＤとＨＤの情報記録面に対して、同一波長の光束を共通の対物レンズを用いて集光することにより、情報の記録又は再生を可能とする光ピックアップ装置を提供する。【解決手段】ＢＤに対して情報の記録を行う場合、高出力の第２半導体レーザを用いることで、最適な記録を行えるようにすると共に、ＢＤから情報の再生を行う場合には、低出力の第１半導体レーザを用いることで、対物レンズを含む光学素子（特にプラスチック製である場合に有効）の耐久性を向上させ、省エネを図ることができる。一方、対物レンズＯＢＪは、ＢＤに振り分ける光束の量よりも、ＨＤに振り分ける光束の量が少ないので、ＨＤに対して情報の記録及び再生を行うときは、高出力の第２半導体レーザＬＤ２を用いるようにしている。【選択図】図１
2009080863.tif 000002
【特許請求の範囲】
【請求項１】
共通の対物レンズを用いて、波長λ１（３８０ｎｍ＜λ１＜４５０ｎｍ）の光束を保護層ｔ１の厚さを有する第１光ディスクの情報記録面上に集光させ、或いは保護層ｔ２（＞ｔ１）の厚さを有する第２光ディスクの情報記録面上に集光させることにより情報の記録又は再生を行うようになっている光ピックアップ装置において、
前記対物レンズと、
第１出力で、前記波長λ１の光束を出射する第１光源と、
前記第１出力より高い第２出力で、前記波長λ１の光束を出射する第２光源と、を有し、
（１）前記波長λ１の光束を情報記録面上に集光する光ディスクの種類、
（２）情報の記録又は再生、
のいずれか少なくとも一方の使用条件に基づいて、前記第１光源と前記第２光源のいずれかを選択して、選択された光源から出射された前記波長λ１の光束を前記対物レンズに入射させるようになっていることを特徴とする光ピックアップ装置。
【請求項２】
前記第１光ディスクの情報記録面から反射した光束と、前記第２光ディスクの情報記録面から反射した光束とを共通して受光する共通の光検出器を有することを特徴とする請求項１に記載の光ピックアップ装置。
【請求項３】
前記第１光源から出射した光束と、前記第２光源から出射した光束が共通して通過する色収差補正用の光学素子を有することを特徴とする請求項１又は２に記載の光ピックアップ装置。
【請求項４】
前記対物レンズは、前記対物レンズに同一の光量の光束を入射させたとき、前記第１光ディスクの情報記録面上に集光するスポット光の光量が、前記第２光ディスクの情報記録面に集光するスポット光の光量よりも大きくなるように形成されていることを特徴とする請求項１〜３のいずれかに記載の光ピックアップ装置。
【請求項５】
前記第１光ディスクより情報の再生を行う場合には前記第１光源からの光束を前記対物レンズに入射させ、前記第１光ディスクに対して情報の記録を行う場合には前記第２光源からの光束を前記対物レンズに入射させ、前記第２光ディスクより情報の再生を行う場合には前記第２光源からの光束を前記対物レンズに入射させ、前記第２光ディスクに対して情報の記録を行う場合には前記第２光源からの光束を前記対物レンズに入射させることを特徴とする請求項１〜４のいずれかに記載の光ピックアップ装置。
【請求項６】
前記第１光ディスクより情報の再生を行う場合には前記第１光源からの光束を前記対物レンズに入射させ、前記第１光ディスクに対して情報の記録を行う場合には前記第２光源からの光束を前記対物レンズに入射させ、前記第２光ディスクより情報の再生を行う場合には前記第１光源からの光束を前記対物レンズに入射させ、前記第２光ディスクに対して情報の記録を行う場合には前記第２光源からの光束を前記対物レンズに入射させることを特徴とする請求項１〜４のいずれかに記載の光ピックアップ装置。    
【請求項７】
前記第１光ディスクより情報の再生を行う場合には前記第１光源からの光束を前記対物レンズに入射させ、前記第１光ディスクに対して情報の記録を行う場合には前記第１光源からの光束を前記対物レンズに入射させ、前記第２光ディスクより情報の再生を行う場合には前記第２光源からの光束を前記対物レンズに入射させ、前記第２光ディスクに対して情報の記録を行う場合には前記第２光源からの光束を前記対物レンズに入射させることを特徴とする請求項１〜４のいずれかに記載の光ピックアップ装置。
【請求項８】
前記第１の光ディスクはＢＤであり、前記第２の光ディスクはＨＤであることを特徴とする請求項１〜７のいずれかに記載の光ピックアップ装置。
【請求項９】
共通の対物レンズを用いて、波長λ１（３８０ｎｍ＜λ１＜４５０ｎｍ）の光束を保護層ｔ１の厚さを有する第１光ディスクの情報記録面上に集光させ、或いは保護層ｔ２（＞ｔ１）の厚さを有する第２光ディスクの情報記録面上に集光させることにより情報の記録又は再生を行うようになっている光ピックアップ装置において、
前記対物レンズと、
前記波長λ１の光束を出射する第１光源を有し、
前記第１光源は、前記第１出力、又は、前記第１出力より高い第２出力で、前記波長λ１の光束を出射し、
（１）前記波長λ１の光束を情報記録面上に集光する光ディスクの種類、
（２）情報の記録又は再生、
のいずれか少なくとも一方の使用条件に基づいて、前記第１出力と前記第２出力のいずれかを選択して、選択された出力で前記第１光源から出射された前記波長λ１の光束を前記対物レンズに入射させるようになっていることを特徴とする光ピックアップ装置。
【請求項１０】
前記第１光源から出射した光束が通過する色収差補正用の光学素子を有することを特徴とする請求項９に記載の光ピックアップ装置。
【請求項１１】
前記対物レンズは、前記対物レンズに同一の光量の光束を入射させたとき、前記第１光ディスクの情報記録面上に集光するスポット光の光量が、前記第２光ディスクの情報記録面に集光するスポット光の光量よりも大きくなるように形成されていることを特徴とする請求項９又は１０に記載の光ピックアップ装置。
【請求項１２】
前記第１光ディスクより情報の再生を行う場合には前記第１光源から前記第１出力で光束を出射させ、前記第１光ディスクに対して情報の記録を行う場合には前記第１光源から前記第２出力で光束を出射させ、前記第２光ディスクより情報の再生を行う場合には前記第１光源から前記第２出力で光束を出射させ、前記第２光ディスクに対して情報の記録を行う場合には前記第１光源から前記第２出力で光束を出射させることを特徴とする請求項９〜１１のいずれかに記載の光ピックアップ装置。
【請求項１３】
前記第１光ディスクより情報の再生を行う場合には前記第１光源から前記第１出力で光束を出射させ、前記第１光ディスクに対して情報の記録を行う場合には前記第１光源から前記第２出力で光束を出射させ、前記第２光ディスクより情報の再生を行う場合には前記第１光源から前記第１出力で光束を出射させ、前記第２光ディスクに対して情報の記録を行う場合には前記第１光源から前記第２出力で光束を出射させることを特徴とする請求項９〜１１のいずれかに記載の光ピックアップ装置。
【請求項１４】
前記第１光ディスクより情報の再生を行う場合には前記第１光源から前記第１出力で光束を出射させ、前記第１光ディスクに対して情報の記録を行う場合には前記第１光源から前記第１出力で光束を出射させ、前記第２光ディスクより情報の再生を行う場合には前記第１光源から前記第２出力で光束を出射させ、前記第２光ディスクに対して情報の記録を行う場合には前記第１光源から前記第２出力で光束を出射させることを特徴とする請求項９〜１１のいずれかに記載の光ピックアップ装置。
【請求項１５】
前記第１の光ディスクはＢＤであり、前記第２の光ディスクはＨＤであることを特徴とする請求項９〜１４のいずれかに記載の光ピックアップ装置。
【発明の詳細な説明】
【技術分野】
【０００１】
本発明は、同一の波長の光束を用いて異なる種類の光ディスクに対して互換可能に情報の記録及び／又は再生を行える光ピックアップ装置に関する。
【背景技術】
【０００２】
近年、波長４００ｎｍ程度の青紫色半導体レーザを用いて、情報の記録及び／又は再生（以下、「記録及び／又は再生」を「記録／再生」と記載する）を行える高密度光ディスクシステムの研究・開発が急速に進んでいる。一例として、ＮＡ０．８５、光源波長４０５ｎｍの仕様で情報記録／再生を行う光ディスク、いわゆるＢｌｕ−ｒａｙ Ｄｉｓｃ（以下、ＢＤという）では、ＤＶＤ（ＮＡ０．６、光源波長６５０ｎｍ、記憶容量４、７ＧＢ）と同じ大きさである直径１２ｃｍの光ディスクに対して、１層あたり２３〜２７ＧＢの情報の記録が可能であり、又、ＮＡ０．６５、光源波長４０５ｎｍの仕様で情報記録／再生を行う光ディスク、いわゆるＨＤ ＤＶＤ（本明細書では、ＨＤという）では、直径１２ｃｍの光ディスクに対して、１層あたり１５〜２０ＧＢの情報の記録が可能である。このような光ディスクを総称して、ここでは高密度光ディスクと呼ぶ。 
【０００３】
ところで、かかるタイプの高密度光ディスクに対して適切に情報の記録／再生ができると言うだけでは、光ディスクプレーヤ／レコーダ（光情報記録再生装置）の製品としての価値は十分なものとはいえない。現在において、多種多様な情報を記録したＤＶＤやＣＤ（コンパクトディスク）が販売されている現実をふまえると、高密度光ディスクに対して情報の記録／再生ができるだけでは足らず、例えばユーザが所有しているＤＶＤやＣＤに対しても同様に適切に情報の記録／再生ができるようにすることが、高密度光ディスク用の光ディスクプレーヤ／レコーダとしての商品価値を高めることに通じるのである。このような背景から、高密度光ディスク用の光ディスクプレーヤ／レコーダに搭載される光ピックアップ装置は、複数の種類の光ディスクに対しても互換性を維持しながら適切に情報を記録／再生できる性能を有することが望まれる。 
【０００４】
特に、ＢＤとＨＤについては、使用する光束の波長が同一であるにも関わらずそれぞれの保護基板の厚さが異なるため、波長差を利用して保護基板の厚さの差に基づいて発生する球面収差を補正することが困難である。従って、他の光ディスクとの互換に比べて、一つの対物レンズを用いてＢＤとＨＤの互換性を持たせることはより困難であった。 
【０００５】
そのような実情の下、特許文献１には、回折効果を用いて同一波長の光束を振り分けることで、一つの対物レンズでＢＤとＨＤの互換を可能としているピックアップ装置が記載されている。 
【特許文献１】特開２００６−１４７０６９号公報
【発明の開示】
【発明が解決しようとする課題】
【０００６】
しかるに、上記の特許文献１に記載された光ピックアップ装置のように、回折効果を用いてＢＤとＨＤの互換を実現する場合、例えば光源から回折構造を通過して一方の光ディスクへ向かう光の利用効率（ここでいう利用効率は、対物レンズの光源側の光学面に入射した光量に対して、光ディスク上のスポットに寄与する光量の比率）が４０％（回折構造を利用した回折振り分けの場合、理論上５０％を超えない）であるとすると、光ディスクから同じ回折構造を通過して光検出器に向かう光の利用効率（ここでいう利用効率は、対物レンズの光ディスク側の光学面に入射した光量に対して、光検出器上のスポットに寄与する光量の比率）は４０％になるから、トータルの利用効率で（ここでいう利用効率は、対物レンズの光源側の光学面に入射した光量に対して、光検出器上のスポットに寄与する光量の比率）４０％の二乗で１６％の光しか利用できず、光源の発光強度を大幅に高める必要があり実用化は極めて困難であるといえる。
【０００７】
従って、回折効果をあまり用いずに、且つ、共通の対物レンズでＢＤとＨＤの互換を可能とする構成が求められている。加えて、共通の光束をＢＤとＨＤとに光量を振り分ける場合、ＢＤの使用時、又はＨＤの使用時、又は記録時に、臨まれる性能が得られないと言う問題があった。      
【０００８】
本発明は、上述の問題を考慮したものであり、複雑な機構を用いることなく、例えばＢＤとＨＤの情報記録面に対して、同一波長の光束を共通の対物レンズを用いて集光することにより、情報の記録又は再生を可能とし、ＢＤに対してもＨＤに対しても、及び／又は、記録時においても再生時においても良好に作動する光ピックアップ装置を提供することを目的とする。
【課題を解決するための手段】
【０００９】
請求項１に記載の光ピックアップ装置は、共通の対物レンズを用いて、波長λ１（３８０ｎｍ＜λ１＜４５０ｎｍ）の光束を保護層ｔ１の厚さを有する第１光ディスクの情報記録面上に集光させ、或いは保護層ｔ２（＞ｔ１）の厚さを有する第２光ディスクの情報記録面上に集光させることにより情報の記録又は再生を行うようになっている光ピックアップ装置において、
前記対物レンズと、
第１出力で、前記波長λ１の光束を出射する第１光源と、
前記第１出力より高い第２出力で、前記波長λ１の光束を出射する第２光源と、を有し、
（１）前記波長λ１の光束を情報記録面上に集光する光ディスクの種類、
（２）情報の記録又は再生、
のいずれか少なくとも一方の使用条件に基づいて、前記第１光源と前記第２光源のいずれかを選択して、選択された光源から出射された前記波長λ１の光束を前記対物レンズに入射させるようになっていることを特徴とする。
【００１０】
例えば、前記対物レンズの非球面光学面を複数の領域に分け、ある領域を通過した波長λ１の光束は前記第１光ディスクの情報記録面に集光し、別の領域を通過した波長λ１の光束は前記第２光ディスクの情報記録面に集光させるようにした場合、第１領域を通過する光束を２／３、第２領域を通過する光束の比率を１／３というように、集光に用いる光量を振り分けることができる。かかる場合、第２光ディスクに入射する光束は少なくなってしまうという問題がある。又、同じ光ディスクを用いる場合でも、情報の記録と情報の再生とでは、必要とするスポット光の強度を変えた方が好ましいという問題もある。
【００１１】
これに対し、本発明によれば、比較的低出力の前記第１光源と、比較的高出力の前記第２光源とを予め準備し、
（１）前記波長λ１の光束を情報記録面上に集光する光ディスクの種類、
（２）情報の記録又は再生、
のいずれか少なくとも一方の使用条件に基づいて、前記第１光源と前記第２光源のいずれかを選択して、選択された光源から出射された前記波長λ１の光束を前記対物レンズに入射させることで、対物レンズにおける光束の光量の比率に関わらず、最適な情報の記録又は再生を行うことができるようにしている。また、単一の光源の出力を可変とする必要がないため、出力可変機構が不要となるというメリットもある。尚、第１光源が半導体レーザである場合、第１出力は１００ｍＷ以下であり、好ましくは６０ｍＷ以下、更に好ましくは３０ｍＷ以下である。第２光源が半導体レーザである場合、第２出力は１００ｍＷ以上であると好ましく、更に好ましくは１５０ｍＷ以上である。
【００１２】
請求項２に記載の光ピックアップ装置は、請求項１に記載の発明において、前記第１光ディスクの情報記録面から反射した光束と、前記第２光ディスクの情報記録面から反射した光束とを共通して受光する共通の光検出器を有することを特徴とするので、光ピックアップ装置の小型化・低コスト化を図れる。
【００１３】
光検出器としては、フォトダイオードなどの受光素子が好ましく用いられる。光ディスクの情報記録面上で反射した光が受光素子へ入射し、その出力信号を用いて、各光ディスクに記録された情報の読み取り信号が得られる。さらに、受光素子上のスポットの形状変化、位置変化による光量変化を検出して、合焦検出やトラック検出を行い、この検出に基づいて、合焦、トラッキングのために対物レンズを移動させることが出来る。光検出器は、複数の受光素子からなっていてもよい。光検出器は、メインの光検出器とサブの光検出器を有していてもよい。例えば、情報の記録再生に用いられるメイン光を受光する光検出器の両脇に２つのサブの光検出器を設け、当該２つのサブの光検出器によってトラッキング調整用のサブ光を受光するようにしてもよい。また、受光素子は各光源に対応した複数の受光部を有していてもよい。
【００１４】
請求項３に記載の光ピックアップ装置は、請求項１又は２に記載の発明において、前記第１光源から出射した光束と、前記第２光源から出射した光束が共通して通過する色収差補正用の光学素子を有することを特徴とするので、色収差を適正に補正して、最適な情報の記録又は再生を行うことができる。このような光学素子としては、光軸方向に変位可能に構成されたカップリングレンズ（例えばビームエキスパンダ）や液晶素子等を用いることができる。
【００１５】
請求項４に記載の光ピックアップ装置は、請求項１〜３のいずれかに記載の発明において、前記対物レンズは、前記対物レンズに同一の光量の光束を入射させたとき、前記第１光ディスクの情報記録面上に集光するスポット光の光量が、前記第２光ディスクの情報記録面に集光するスポット光の光量よりも大きくなるように形成されていることを特徴とする。
【００１６】
請求項５に記載の光ピックアップ装置は、請求項１〜４のいずれかに記載の発明において、前記第１光ディスクより情報の再生を行う場合には前記第１光源からの光束を前記対物レンズに入射させ、前記第１光ディスクに対して情報の記録を行う場合には前記第２光源からの光束を前記対物レンズに入射させ、前記第２光ディスクより情報の再生を行う場合には前記第２光源からの光束を前記対物レンズに入射させ、前記第２光ディスクに対して情報の記録を行う場合には前記第２光源からの光束を前記対物レンズに入射させることを特徴とする。
【００１７】
請求項６に記載の光ピックアップ装置は、請求項１〜４のいずれかに記載の発明において、前記第１光ディスクより情報の再生を行う場合には前記第１光源からの光束を前記対物レンズに入射させ、前記第１光ディスクに対して情報の記録を行う場合には前記第２光源からの光束を前記対物レンズに入射させ、前記第２光ディスクより情報の再生を行う場合には前記第１光源からの光束を前記対物レンズに入射させ、前記第２光ディスクに対して情報の記録を行う場合には前記第２光源からの光束を前記対物レンズに入射させることを特徴とする。    
【００１８】
請求項７に記載の光ピックアップ装置は、請求項１〜４のいずれかに記載の発明において、前記第１光ディスクより情報の再生を行う場合には前記第１光源からの光束を前記対物レンズに入射させ、前記第１光ディスクに対して情報の記録を行う場合には前記第１光源からの光束を前記対物レンズに入射させ、前記第２光ディスクより情報の再生を行う場合には前記第２光源からの光束を前記対物レンズに入射させ、前記第２光ディスクに対して情報の記録を行う場合には前記第２光源からの光束を前記対物レンズに入射させることを特徴とする。
【００１９】
請求項８に記載の光ピックアップ装置は、請求項１〜７のいずれかに記載の発明において、前記第１の光ディスクはＢＤであり、前記第２の光ディスクはＨＤであることを特徴とする。
【００２０】
請求項９に記載の光ピックアップ装置は、共通の対物レンズを用いて、波長λ１（３８０ｎｍ＜λ１＜４５０ｎｍ）の光束を保護層ｔ１の厚さを有する第１光ディスクの情報記録面上に集光させ、或いは保護層ｔ２（＞ｔ１）の厚さを有する第２光ディスクの情報記録面上に集光させることにより情報の記録又は再生を行うようになっている光ピックアップ装置において、
前記対物レンズと、
前記波長λ１の光束を出射する第１光源を有し、
前記第１光源は、前記第１出力、又は、前記第１出力より高い第２出力で、前記波長λ１の光束を出射し、
（１）前記波長λ１の光束を情報記録面上に集光する光ディスクの種類、
（２）情報の記録又は再生、
のいずれか少なくとも一方の使用条件に基づいて、前記第１出力と前記第２出力のいずれかを選択して、選択された出力で前記第１光源から出射された前記波長λ１の光束を前記対物レンズに入射させるようになっていることを特徴とする。従って、対物レンズにおける光束の光量の比率に関わらず、最適な情報の記録又は再生を行うことができる。また、本発明においては、出力可変の光源を用いることになるが、複数の光源を必要としないため、光路を同一にするためのミラーや光学素子などの素子が不要となり、光学系をシンプルにできるというメリットもある。尚、第１光源が半導体レーザである場合、第１出力は１００ｍＷ以下であり、好ましくは６０ｍＷ以下、更に好ましくは３０ｍＷ以下である。また、第２出力は１００ｍＷ以上であると好ましく、更に好ましくは１５０ｍＷ以上である。
【００２１】
請求項１０に記載の光ピックアップ装置は、請求項９に記載の発明において、前記第１光源から出射した光束が通過する色収差補正用の光学素子を有することを特徴とする。
【００２２】
請求項１１に記載の光ピックアップ装置は、請求項９又は１０に記載の発明において、前記対物レンズは、前記対物レンズに同一の光量の光束を入射させたとき、前記第１光ディスクの情報記録面上に集光するスポット光の光量が、前記第２光ディスクの情報記録面に集光するスポット光の光量よりも大きくなるように形成されていることを特徴とする。
【００２３】
請求項１２に記載の光ピックアップ装置は、請求項９〜１１のいずれかに記載の発明において、前記第１光ディスクより情報の再生を行う場合には前記第１光源から前記第１出力で光束を出射させ、前記第１光ディスクに対して情報の記録を行う場合には前記第１光源から前記第２出力で光束を出射させ、前記第２光ディスクより情報の再生を行う場合には前記第１光源から前記第２出力で光束を出射させ、前記第２光ディスクに対して情報の記録を行う場合には前記第１光源から前記第２出力で光束を出射させることを特徴とする。
【００２４】
請求項１３に記載の光ピックアップ装置は、請求項９〜１１のいずれかに記載の発明において、前記第１光ディスクより情報の再生を行う場合には前記第１光源から前記第１出力で光束を出射させ、前記第１光ディスクに対して情報の記録を行う場合には前記第１光源から前記第２出力で光束を出射させ、前記第２光ディスクより情報の再生を行う場合には前記第１光源から前記第１出力で光束を出射させ、前記第２光ディスクに対して情報の記録を行う場合には前記第１光源から前記第２出力で光束を出射させることを特徴とする。
【００２５】
請求項１４に記載の光ピックアップ装置は、請求項９〜１１のいずれかに記載の発明において、前記第１光ディスクより情報の再生を行う場合には前記第１光源から前記第１出力で光束を出射させ、前記第１光ディスクに対して情報の記録を行う場合には前記第１光源から前記第１出力で光束を出射させ、前記第２光ディスクより情報の再生を行う場合には前記第１光源から前記第２出力で光束を出射させ、前記第２光ディスクに対して情報の記録を行う場合には前記第１光源から前記第２出力で光束を出射させることを特徴とする。
【００２６】
請求項１５に記載の光ピックアップ装置は、請求項９〜１４のいずれかに記載の発明において、前記第１の光ディスクはＢＤであり、前記第２の光ディスクはＨＤであることを特徴とする。
【００２７】
本明細書において、対物レンズとは、光ピックアップ装置において光ディスクが装填された状態で光ディスクに対向する位置に配置され、光源から射出された光束を光ディスクの情報記録面上に集光する機能を有する光学系を指す。好ましくは、対物レンズとは、光ピックアップ装置において光ディスクに対向する位置に配置され、光源から射出された光束を光ディスクの情報記録面上に集光する機能を有する光学系であって、更に、アクチュエータにより少なくとも光軸方向に一体的に変位可能とされた光学系を指す。対物レンズは、二つ以上の複数のレンズ及び光学素子から構成されていてもよいし、単玉のレンズのみでもよい。また、対物レンズは、ガラスレンズであってもプラスチックレンズであってもよい。対物レンズが複数のレンズを有する場合は、ガラスレンズとプラスチックレンズを混合して用いてもよい。対物レンズは屈折面が非球面であることが好ましい。
【００２８】
また、対物レンズをプラスチックレンズとする場合は、環状オレフィン系の樹脂材料を使用するのが好ましく、環状オレフィン系の中でも、波長４０５ｎｍに対する温度２５℃での屈折率が１．５４乃至１．６０の範囲内であって、−５℃から７０℃の温度範囲内での温度変化に伴う波長４０５ｎｍに対する屈折率変化率ｄＮ／ｄＴ（℃-1）が−２０×１０-5乃至−５×１０-5（より好ましくは、−１０×１０-5乃至−８×１０-5）の範囲内である樹脂材料を使用するのがより好ましい。また、対物レンズをプラスチックレンズとする場合、カップリングレンズもプラスチックレンズとすることが好ましい。
【００２９】
第１光ディスクに対して情報を再生及び／又は記録するために必要な対物レンズの像側開口数をＮＡ１とし、第２光ディスクに対して情報を再生及び／又は記録するために必要な対物レンズの像側開口数をＮＡ２（ＮＡ１＞ＮＡ２）とする。ＮＡ１は、０．８以上、０．９以下であることが好ましい。ＮＡ２は、０．５５以上、０．７以下であることが好ましい。
【００３０】
対物レンズは、光軸を中心とする同心円状の複数の領域に分割されることが好ましい。これらの複数の領域は、第１光ディスク用領域と、第２光ディスク用領域とに分けられると好ましい。この第１光ディスク用領域と第２光ディスク用領域とは、対物レンズの光学面上の第１光ディスク用領域と第２光ディスク用領域において、明確な構造の差異を設けてもよい。一方、対物レンズに構成上明確な領域を設けずに、便宜上の領域としてもよい。
【００３１】
まず、対物レンズの第１の例を説明する。第１光ディスク用領域は、通過した第１光束が第１光ディスクの情報記録面上に情報の記録／再生ができるように集光する一方で、通過した第１光束が第２光ディスクの情報記録面上には集光しない領域である。第２光ディスク用領域は、その逆に、通過した第１光束が第１光ディスクの情報記録面上には集光せず、通過した第１光束が第２光ディスクの情報記録面上に情報の記録／再生ができるように集光する領域である。第１光ディスク用領域と第２光ディスク用領域は交互に設けられていることが好ましいが、これに限られない。光軸を含む最も中心の領域は、第１光ディスク用領域であっても、第２光ディスク用領域であってもよいが、最も外側の領域は第１光ディスク用領域であることが好ましい。
【００３２】
即ち、第１光ディスク用領域を通過した第１光束は、第１光ディスクの情報記録面上では、収差が非常に小さくなり、第２光ディスクの情報記録面上では、情報の記録／再生ができないほどに収差が大きくなる。逆に、第２光ディスク用領域を通過した第１光束は、第１光ディスクの情報記録面上では、情報の記録／再生ができないほどに収差が大きくなり、第２光ディスクの情報記録面上では、収差が非常に小さくなる。
【００３３】
この例においては、第１光ディスク用領域及び第２光ディスク用領域は、共に屈折面であることが好ましく、この場合、屈折作用を利用して、第１光ディスク用領域を通過した光束を第１光ディスクの情報記録面上に集光させ、第２光ディスク用領域を通過した光束を第２光ディスクの情報記録面上に集光させるということを成し遂げている。このような構成とすることで、光ディスクの情報記録面上での反射光が対物レンズを通過する際に、光量のロスを低減する事ができるため好ましい。この場合、光検出器として比較的低感度の受光素子を用いることが可能となるので、光ピックアップ装置のコストを削減することが可能となる。
【００３４】
次に、対物レンズの第２の例を説明する。この例では、対物レンズの特定領域は、通過した第１光束を第１光ディスクの情報記録面上に集光し、且つ、通過した第１光束を第２光ディスクの情報記録面上にも集光する領域を含むものである。
【００３５】
この第２の例においては、対物レンズを通過した第１光束は、第１光ディスクの情報記録面上で、収差がある程度は残留するが、記録／再生が可能な程度に集光され、同様に、第２光ディスクの情報記録面上においても、収差がある程度は残留するが、記録／再生が可能な程度に集光される。
【００３６】
なお、上述の場合において、対物レンズに、同心円状の第１光ディスク優先領域と第２光ディスク優先領域が含まれるようにしてもよい。第１光ディスク優先領域は、通過した第１光束が第１光ディスクの情報記録面上に情報の記録／再生ができるように集光し、且つ、通過した第１光束が第２光ディスクの情報記録面上でも情報の記録／再生ができる様に集光するが、第１光ディスクの情報記録面上でより収差が小さくなるようにする収差補正する領域である。一方、第２光ディスク優先領域は、通過した第１光束が第１光ディスクの情報記録面上に情報の記録／再生ができるように集光し、且つ、通過した第１光束が第２光ディスクの情報記録面上でも情報の記録／再生ができる様に集光するが、第２光ディスクの情報記録面上でより収差が小さくなるようにする収差補正する領域である。第１光ディスク優先領域と第２光ディスク優先領域は交互に設けられていることが好ましいが、これに限られない。光軸を含む最も中心の領域は、第１光ディスク優先領域であっても、第２光ディスク優先領域であってもよい。
【００３７】
次に、対物レンズの第１の例において、第２光ディスクの記録及び／又は再生を行う際に、第１光ディスク用領域を通過した光束が、デフォーカスエリアにかぶらないようにするために、第１光ディスク用領域を通過した光束が、第２光ディスクの情報記録面上でフレアになるような対物レンズであることが好ましい。尚、具体的に「フレアにする」とは、第２光ディスクの情報記録面上で第１光ディスク用領域を通過した光がドーナツ型領域に分布することをいう。特に、第１光ディスクがＢＤであって、第２光ディスクがＨＤである場合、そのドーナツ型領域の内径をφ０．０３０ｍｍ以上となるようにすることが好ましい。複数のドーナツ型領域となる場合には、各ドーナツ型領域の内径のうち、最も小さい径がφ０．０３０ｍｍ以上であることが好ましい。また、第１光ディスクがＢＤであって、第２光ディスクがＨＤである場合に、良好なフレアを発生させるためには、第１光ディスク（ＢＤ）における対物レンズのワーキングディスタンス（ＷＤBD）と、第２光ディスク（ＨＤ）における対物レンズのワーキングディスタンス（ＷＤHD）との差の値を（ＷＤBD−ＷＤHD）、−０．３６（ｍｍ）以上、０．１７（ｍｍ）以下とすることが好ましい。より好ましくは、−０．１０（ｍｍ）以上、０．１５（ｍｍ）以下とすることである。別の観点からは、以下の式を満たすことが好ましい。
２・ｆ１・NA１’> ２・ｆ２・NA２’
尚、ｆ１は対物レンズの第１光ディスク用領域の焦点距離、ｆ２は対物レンズの第２光ディスク用領域の焦点距離、ＮＡ１’は対物レンズの第１光ディスク用領域の正弦条件を満足する最大開口数、ＮＡ２’は対物光学素子の第２光ディスク用領域の正弦条件を満足する最大開口数を示す。尚、対物レンズが、光源側の第１光学素子と光ディスク側の第２光学素子とを有する場合にも、上記のフレアを発生させる好ましい条件を適用可能である。
【００３８】
また、適切なスポット径を得るためには、以下の条件を満たすことが好ましい。尚、以下の条件は、対物レンズが単玉レンズである場合に限らず、対物レンズが、光源側の第１光学素子と光ディスク側の第２光学素子とを有する場合にも、以下の条件を適用可能である。
【００３９】
先ず、光軸を含む最も中心に近い領域が第２光ディスク用領域である場合は、第１光ディスク用領域の最大像側開口数が、ＮＡ１よりも小さい事が好ましい。また、第１領域の最大有効径を、２・ｆ１・ＮＡ１より小さくすることが好ましい。尚、ｆ１とは、第１光束における対物レンズの第１光ディスク用領域の焦点距離であり、ＮＡ１は、第１光ディスクの記録及び／又は再生に必要と規格で定められている像側開口数を示す。例えば、第１光ディスクがＢＤであって、第２光ディスクがＨＤである場合、第１光ディスク用領域の最大像側開口数が、０．８５よりも小さい事が好ましい。また、第１光ディスク用領域の最大有効径を、２・ｆ１・０．８５より小さくすることが好ましい。
【００４０】
次に、光軸を含む最も中心に近い領域が第１光ディスク用領域である場合は、第２光ディスク用領域の最大像側開口数が、ＮＡ２よりも小さい事が好ましい。また、第２光ディスク用領域の最大有効径を、２・ｆ２・ＮＡ２より小さくすることが好ましい。尚、ｆ２とは、第１光束における対物レンズの第２光ディスク用領域の焦点距離であり、ＮＡ２は、第２光ディスクの記録及び／又は再生に必要と規格で定められている像側開口数を示す。例えば、第１光ディスクがＢＤであって、第２光ディスクがＨＤである場合、第２光ディスク用領域の最大像側開口数が、０．６５よりも小さい事が好ましい。また、第２光ディスク用領域の最大有効径を、２・ｆ２・０．６５より小さくすることが好ましい。
【００４１】
次に、単玉レンズである対物レンズの軸外特性を良好にするための構成として、第１光ディスク用領域と第２光ディスク用領域との非球面形状を異ならせる構成の場合、第１光ディスクの記録及び／又は再生時における対物レンズのワーキングディスタンス（ＷＤ１）と、第２光ディスクの記録及び／又は再生時における対物レンズのワーキングディスタンス（ＷＤ２）との差の絶対値（｜ＷＤ１−ＷＤ２|）を０．１（ｍｍ）以上とするように設計する事が好ましい。
【００４２】
尚、単玉の対物レンズに、第１光ディスク用領域と第２光ディスク用領域を設ける場合、各領域の境界で大きな段差（例えば、光軸方向に５０μｍ以上の段差）を生じる可能性がある。この様な大きな段差は、対物レンズを金型を用いて成形する場合、金型から光学素子を抜く際の支障となる可能性があり、対物レンズの製造がより困難なものとなる。そこで、各領域の境界で大きな段差（例えば、光軸方向に５０μｍ以上の段差）を生じる場合には、金型から抜きやすくするために、その段差部分に光軸に対して傾いている傾斜面（テーパ）を設けることが好ましい。例えば、中間の領域が光軸方向に凹んでいる形状の場合には、段差面が光軸の方を向いている面のみを傾斜面とし、段差面が光軸とは逆の方向を向いている面は傾斜面としないことが、光学性能に与える影響を最低限にし、テーパを設ける事による光量のロスを低減でき、金型から抜きやすくできるため、好ましい。
【００４３】
光情報記録再生装置は、上述の光ピックアップ装置を有する光ディスクドライブ装置を有することができる。
【００４４】
ここで、光情報記録再生装置に装備される光ディスクドライブ装置に関して説明すると、光ディスクドライブ装置には、光ピックアップ装置等を収納している光情報記録再生装置本体から光ディスクを搭載した状態で保持可能なトレイのみが外部に取り出される方式と、光ピックアップ装置等が収納されている光ディスクドライブ装置本体毎、外部に取り出される方式とがある。
【００４５】
上述した各方式を用いる光情報記録再生装置には、概ね、次の構成部材が装備されているがこれに限られるものではない。 ハウジング等に収納された光ピックアップ装置、光ピックアップ装置をハウジングごと光ディスクの内周あるいは外周に向けて移動させるシークモータ等の光ピックアップ装置の駆動源、光ピックアップ装置のハウジングを光ディスクの内周あるいは外周に向けてガイドするガイドレールなどを有した光ピックアップ装置の移送手段及び、光ディスクの回転駆動を行うスピンドルモータ等である。
【００４６】
前者の方式には、これら各構成部材の他に、光ディスクを搭載した状態で保持可能なトレイおよびトレイを摺動させるためのローディング機構等が設けられ、後者の方式にはトレイおよびローディング機構がなく、各構成部材が外部に引き出し可能なシャーシに相当するドロワーに設けられていることが好ましい。
【発明の効果】
【００４７】
本発明によれば、簡単且つ低コストの構成で、複雑な機構を用いることなく、例えばＢＤとＨＤの情報記録面に対して、同一波長の光束を共通の対物レンズを用いて集光することにより、適切な情報の記録又は再生を可能とする光ピックアップ装置を提供することが可能になる。
【発明を実施するための最良の形態】
【００４８】
以下、本発明の実施の形態を図面を参照して説明する。図１は、第１光ディスクであるＢＤと第２光ディスクであるＨＤに対して適切に情報の記録及び／又は再生を行うことができる本実施の形態の光ピックアップ装置ＰＵ１の構成を概略的に示す図である。かかる光ピックアップ装置ＰＵ１は、光情報記録再生装置に搭載できる。なお、本発明は、本実施の形態に限られるものではない。
【００４９】
光ピックアップ装置ＰＵ１は、対物レンズＯＢＪ、λ／４波長板ＱＷＰ、コリメートレンズＣＯＬ、第１偏光ビームスプリッタＰＢＳ１，第２偏光ビームスプリッタＰＢＳ２，液晶素子ＬＱ、λ１＝４０５ｎｍのレーザ光束を射出する第１半導体レーザＬＤ１（第１光源）と、λ１＝４０５ｎｍのレーザ光束を射出する第２半導体レーザＬＤ２（第２光源）と、センサレンズＳＮと、ＢＤの情報記録面及びＨＤの情報記録面からの反射光束を受光する光検出器ＰＤとを有する。尚、本実施の形態では、第１半導体レーザＬＤ１の出力は、第２半導体レーザＬＤ２の出力より小さくなっている。カップリングレンズＣＵＬは、色収差を補正するために光軸方向に変位可能となっている。
【００５０】
図２（ａ）は、対物レンズＯＢＪの断面図であり、図２（ｂ）は、対物レンズＯＢＪを光源側から見た図である。対物レンズＯＢＪの光源側の光学面をＳ１とし、光ディスク側の光学面をＳ２としたときに、光学面Ｓ１（又は光学面Ｓ２）には、光軸を含む中央領域Ｒ１と、その周囲に形成された中間領域Ｒ２と、その周囲に形成された周辺領域Ｒ３とを形成している。ここで、中央領域Ｒ１と周辺領域Ｒ３とは、ＢＤの情報記録面に対して集光スポットを形成できる非球面となっており、一方、中間領域Ｒ２は、ＨＤの情報記録面に対して集光スポットを形成できる非球面となっている。
【００５１】
（第１の実施例）
まず、ＢＤに対して情報の記録を行う場合について説明する。図１において、高出力の第２半導体レーザＬＤ２から射出されたＰ偏光である光束（λ１＝４０５ｎｍ）の発散光束は、第１偏光ビームスプリッタＰＢＳ１で反射され、コリメートレンズＣＯＬにより平行光束とされた後、液晶素子ＬＱ、第２偏光ビームスプリッタＰＢＳ２を通過し、λ／４波長板ＱＷＰにより直線偏光から円偏光に変換され、図示しない絞りによりその光束径が規制され、対物レンズＯＢＪの中央領域Ｒ１と周辺領域Ｒ３によって厚さ０．０８７５ｍｍの保護基板を介して、ＢＤの情報記録面上に形成されるスポットとなる。
【００５２】
このとき、対物レンズＯＢＪの中間領域Ｒ２を通過した光束はＢＤの情報記録面上に集光スポットを形成しないようになっている。
【００５３】
ＢＤの情報記録面上で情報ピットにより変調された反射光束は、再び対物レンズＯＢＪ、絞りを透過した後、λ／４波長板ＱＷＰにより円偏光から直線偏光（Ｓ偏光）に変換され、第２偏光ビームスプリッタＰＢＳ２で反射した後、センサレンズＳＮによって、光検出器ＰＤの受光面上に収束する。そして、光検出器ＰＤの出力信号を用いて、２軸アクチュエータ（不図示）により対物レンズＯＢＪをフォーカシングやトラッキングさせることで、ＢＤに記録された情報を読み取ってベリファイすることができる。
【００５４】
ＢＤから情報の再生を行う場合について説明する。図１において、低出力の第１半導体レーザＬＤ１から射出されたＳ偏光である光束（λ１＝４０５ｎｍ）の発散光束は、第１偏光ビームスプリッタＰＢＳ１を透過し、コリメートレンズＣＯＬにより平行光束とされた後、液晶素子ＬＱを通過してＰ偏光となり、第２偏光ビームスプリッタＰＢＳ２を通過し、λ／４波長板ＱＷＰにより直線偏光から円偏光に変換され、図示しない絞りによりその光束径が規制され、対物レンズＯＢＪの中央領域Ｒ１と周辺領域Ｒ３によって厚さ０．０８７５ｍｍの保護基板を介して、ＢＤの情報記録面上に形成されるスポットとなる。
【００５５】
このとき、対物レンズＯＢＪの中間領域Ｒ２を通過した光束はＢＤの情報記録面上に集光スポットを形成しないようになっている。
【００５６】
ＢＤの情報記録面上で情報ピットにより変調された反射光束は、再び対物レンズＯＢＪ、絞りを透過した後、λ／４波長板ＱＷＰにより円偏光から直線偏光（Ｓ偏光）に変換され、第２偏光ビームスプリッタＰＢＳ２で反射した後、センサレンズＳＮによって、光検出器ＰＤの受光面上に収束する。そして、光検出器ＰＤの出力信号を用いて、２軸アクチュエータ（不図示）により対物レンズＯＢＪをフォーカシングやトラッキングさせることで、ＢＤに記録された情報を読み取ることができる。
【００５７】
次に、ＨＤに対して情報の記録を行う場合について説明する。図１において、高出力の第２半導体レーザＬＤ２から射出されたＰ偏光である光束（λ１＝４０５ｎｍ）の発散光束は、第１偏光ビームスプリッタＰＢＳ１で反射され、コリメートレンズＣＯＬにより平行光束とされた後、液晶素子ＬＱ、第２偏光ビームスプリッタＰＢＳ２を通過し、λ／４波長板ＱＷＰにより直線偏光から円偏光に変換され、対物レンズＯＢＪの中間領域Ｒ２によって厚さ０．６ｍｍの保護基板を介して、ＨＤの情報記録面上に形成されるスポットとなる。
【００５８】
このとき、対物レンズＯＢＪの中央領域Ｒ１と周辺領域Ｒ３を通過した光束はＨＤの情報記録面上に集光スポットを形成しないようになっている。
【００５９】
ＨＤの情報記録面上で情報ピットにより変調された反射光束は、再び対物レンズＯＢＪを透過した後、λ／４波長板ＱＷＰにより円偏光から直線偏光（Ｓ偏光）に変換され、第２偏光ビームスプリッタＰＢＳ２で反射した後、センサレンズＳＮによって、光検出器ＰＤの受光面上に収束する。そして、光検出器ＰＤの出力信号を用いて、２軸アクチュエータ（不図示）により対物レンズＯＢＪをフォーカシングやトラッキングさせることで、ＨＤに記録された情報を読み取りベリファイすることができる。
【００６０】
ＨＤから情報の再生を行う場合について説明する。図１において、高出力の第２半導体レーザＬＤ２から射出されたＰ偏光である光束（λ１＝４０５ｎｍ）の発散光束は、第１偏光ビームスプリッタＰＢＳ１で反射され、コリメートレンズＣＯＬにより平行光束とされた後、液晶素子ＬＱ、第２偏光ビームスプリッタＰＢＳ２を通過し、λ／４波長板ＱＷＰにより直線偏光から円偏光に変換され、対物レンズＯＢＪの中間領域Ｒ２によって厚さ０．６ｍｍの保護基板を介して、ＨＤの情報記録面上に形成されるスポットとなる。
【００６１】
このとき、対物レンズＯＢＪの中央領域Ｒ１と周辺領域Ｒ３を通過した光束はＨＤの情報記録面上に集光スポットを形成しないようになっている。
【００６２】
ＨＤの情報記録面上で情報ピットにより変調された反射光束は、再び対物レンズＯＢＪを透過した後、λ／４波長板ＱＷＰにより円偏光から直線偏光（Ｓ偏光）に変換され、第２偏光ビームスプリッタＰＢＳ２で反射した後、センサレンズＳＮによって、光検出器ＰＤの受光面上に収束する。そして、光検出器ＰＤの出力信号を用いて、２軸アクチュエータ（不図示）により対物レンズＯＢＪをフォーカシングやトラッキングさせることで、ＨＤに記録された情報を読み取ることができる。
【００６３】
第１の実施例によれば、ＢＤに対して、より光量を必要とする情報の記録を行う場合、高出力の第２半導体レーザを用いることで、最適な記録を行えるようにすると共に、ＢＤから情報の再生を行う場合には、低出力の第１半導体レーザを用いることで、対物レンズを含む光学素子（特にプラスチック製である場合に有効）の耐久性を向上させ、省エネを図ることができる。一方、対物レンズＯＢＪは、ＨＤに対してはＲ２領域のみ用いるため、ＢＤに振り分ける光束の量よりも、ＨＤに振り分ける光束の量が少ないので、ＨＤに対して情報の記録及び再生を行うときは、高出力の第２半導体レーザＬＤ２を用いるようにしている。
【００６４】
本実施例において、波長は同じであるが出力が異なる第１の光源と第２の光源を用いているが、複数の光源を用いずに、単一の光源で、出力が低出力の第１の出力と、高出力の第２の出力で出射できる出力可変光元を用いてもよい。この場合、図１における第２光源ＬＤ２、偏光ビームスプリッタＰＢＳ１及び液晶素子ＬＱが不要となる。
【００６５】
（第２の実施例）
まず、ＢＤに対して情報の記録を行う場合について説明する。図１において、高出力の第２半導体レーザＬＤ２から射出されたＰ偏光である光束（λ１＝４０５ｎｍ）の発散光束は、第１偏光ビームスプリッタＰＢＳ１で反射され、コリメートレンズＣＯＬにより平行光束とされた後、液晶素子ＬＱ、第２偏光ビームスプリッタＰＢＳ２を通過し、λ／４波長板ＱＷＰにより直線偏光から円偏光に変換され、図示しない絞りによりその光束径が規制され、対物レンズＯＢＪの中央領域Ｒ１と周辺領域Ｒ３によって厚さ０．０８７５ｍｍの保護基板を介して、ＢＤの情報記録面上に形成されるスポットとなる。
【００６６】
このとき、対物レンズＯＢＪの中間領域Ｒ２を通過した光束はＢＤの情報記録面上に集光スポットを形成しないようになっている。
【００６７】
ＢＤの情報記録面上で情報ピットにより変調された反射光束は、再び対物レンズＯＢＪ、絞りを透過した後、λ／４波長板ＱＷＰにより円偏光から直線偏光（Ｓ偏光）に変換され、第２偏光ビームスプリッタＰＢＳ２で反射した後、センサレンズＳＮによって、光検出器ＰＤの受光面上に収束する。そして、光検出器ＰＤの出力信号を用いて、２軸アクチュエータ（不図示）により対物レンズＯＢＪをフォーカシングやトラッキングさせることで、ＢＤに記録された情報を読み取ってベリファイすることができる。
【００６８】
ＢＤから情報の再生を行う場合について説明する。図１において、低出力の第１半導体レーザＬＤ１から射出されたＳ偏光である光束（λ１＝４０５ｎｍ）の発散光束は、第１偏光ビームスプリッタＰＢＳ１を透過し、コリメートレンズＣＯＬにより平行光束とされた後、液晶素子ＬＱを通過してＰ偏光となり、第２偏光ビームスプリッタＰＢＳ２を通過し、λ／４波長板ＱＷＰにより直線偏光から円偏光に変換され、図示しない絞りによりその光束径が規制され、対物レンズＯＢＪの中央領域Ｒ１と周辺領域Ｒ３によって厚さ０．０８７５ｍｍの保護基板を介して、ＢＤの情報記録面上に形成されるスポットとなる。
【００６９】
このとき、対物レンズＯＢＪの中間領域Ｒ２を通過した光束はＢＤの情報記録面上に集光スポットを形成しないようになっている。
【００７０】
ＢＤの情報記録面上で情報ピットにより変調された反射光束は、再び対物レンズＯＢＪ、絞りを透過した後、λ／４波長板ＱＷＰにより円偏光から直線偏光（Ｓ偏光）に変換され、第２偏光ビームスプリッタＰＢＳ２で反射した後、センサレンズＳＮによって、光検出器ＰＤの受光面上に収束する。そして、光検出器ＰＤの出力信号を用いて、２軸アクチュエータ（不図示）により対物レンズＯＢＪをフォーカシングやトラッキングさせることで、ＢＤに記録された情報を読み取ることができる。
【００７１】
次に、ＨＤに対して情報の記録を行う場合について説明する。図１において、高出力の第２半導体レーザＬＤ２から射出されたＰ偏光である光束（λ１＝４０５ｎｍ）の発散光束は、第１偏光ビームスプリッタＰＢＳ１で反射され、コリメートレンズＣＯＬにより平行光束とされた後、液晶素子ＬＱ、第２偏光ビームスプリッタＰＢＳ２を通過し、λ／４波長板ＱＷＰにより直線偏光から円偏光に変換され、対物レンズＯＢＪの中間領域Ｒ２によって厚さ０．６ｍｍの保護基板を介して、ＨＤの情報記録面上に形成されるスポットとなる。
【００７２】
このとき、対物レンズＯＢＪの中央領域Ｒ１と周辺領域Ｒ３を通過した光束はＨＤの情報記録面上に集光スポットを形成しないようになっている。
【００７３】
ＨＤの情報記録面上で情報ピットにより変調された反射光束は、再び対物レンズＯＢＪを透過した後、λ／４波長板ＱＷＰにより円偏光から直線偏光（Ｓ偏光）に変換され、第２偏光ビームスプリッタＰＢＳ２で反射した後、センサレンズＳＮによって、光検出器ＰＤの受光面上に収束する。そして、光検出器ＰＤの出力信号を用いて、２軸アクチュエータ（不図示）により対物レンズＯＢＪをフォーカシングやトラッキングさせることで、ＨＤに記録された情報を読み取りベリファイすることができる。
【００７４】
ＨＤから情報の再生を行う場合について説明する。図１において、低出力の第１半導体レーザＬＤ１から射出されたＳ偏光である光束（λ１＝４０５ｎｍ）の発散光束は、第１偏光ビームスプリッタＰＢＳ１で反射され、コリメートレンズＣＯＬにより平行光束とされた後、液晶素子ＬＱを通過してＰ偏光となり、第２偏光ビームスプリッタＰＢＳ２を通過し、λ／４波長板ＱＷＰにより直線偏光から円偏光に変換され、対物レンズＯＢＪの中間領域Ｒ２によって厚さ０．６ｍｍの保護基板を介して、ＨＤの情報記録面上に形成されるスポットとなる。
【００７５】
このとき、対物レンズＯＢＪの中央領域Ｒ１と周辺領域Ｒ３を通過した光束はＨＤの情報記録面上に集光スポットを形成しないようになっている。
【００７６】
ＨＤの情報記録面上で情報ピットにより変調された反射光束は、再び対物レンズＯＢＪを透過した後、λ／４波長板ＱＷＰにより円偏光から直線偏光（Ｓ偏光）に変換され、第２偏光ビームスプリッタＰＢＳ２で反射した後、センサレンズＳＮによって、光検出器ＰＤの受光面上に収束する。そして、光検出器ＰＤの出力信号を用いて、２軸アクチュエータ（不図示）により対物レンズＯＢＪをフォーカシングやトラッキングさせることで、ＨＤに記録された情報を読み取ることができる。
【００７７】
第２の実施例によれば、対物レンズＯＢＪは、ＢＤとＨＤに対して、より光量を必要とする情報の記録を行うときは、高出力の第２半導体レーザＬＤ２を用い、ＢＤとＨＤからそれ程多くの光量を必要としない情報の再生を行うときは、低出力の第１半導体レーザＬＤ１を用いるようにして、対物レンズを含む光学素子（特にプラスチック製である場合に有効）の耐久性を向上させ、省エネを図ることができる。尚、第２の実施例の対物レンズＯＢＪは、第１の実施例の対物レンズＯＢＪに比べて、Ｒ２の面積が大きいことが好ましい。
【００７８】
本実施例においても、波長は同じであるが出力が異なる第１の光源と第２の光源を用いているが、複数の光源を用いずに、単一の光源で、出力が低出力の第１の出力と、高出力の第２の出力で出射できる出力可変光元を用いてもよい。この場合、図１における第２光源ＬＤ２、偏光ビームスプリッタＰＢＳ１及び液晶素子ＬＱが不要となる。
【００７９】
（第３の実施例）
まず、ＢＤに対して情報の記録を行う場合について説明する。図１において、低出力の第１半導体レーザＬＤ１から射出されたＳ偏光である光束（λ１＝４０５ｎｍ）の発散光束は、第１偏光ビームスプリッタＰＢＳ１を透過し、コリメートレンズＣＯＬにより平行光束とされた後、液晶素子ＬＱを通過してＰ偏光となり、第２偏光ビームスプリッタＰＢＳ２を通過し、λ／４波長板ＱＷＰにより直線偏光から円偏光に変換され、図示しない絞りによりその光束径が規制され、対物レンズＯＢＪの中央領域Ｒ１と周辺領域Ｒ３によって厚さ０．０８７５ｍｍの保護基板を介して、ＢＤの情報記録面上に形成されるスポットとなる。
【００８０】
このとき、対物レンズＯＢＪの中間領域Ｒ２を通過した光束はＢＤの情報記録面上に集光スポットを形成しないようになっている。
【００８１】
ＢＤの情報記録面上で情報ピットにより変調された反射光束は、再び対物レンズＯＢＪ、絞りを透過した後、λ／４波長板ＱＷＰにより円偏光から直線偏光（Ｓ偏光）に変換され、第２偏光ビームスプリッタＰＢＳ２で反射した後、センサレンズＳＮによって、光検出器ＰＤの受光面上に収束する。そして、光検出器ＰＤの出力信号を用いて、２軸アクチュエータ（不図示）により対物レンズＯＢＪをフォーカシングやトラッキングさせることで、ＢＤに記録された情報を読み取ってベリファイすることができる。
【００８２】
ＢＤから情報の再生を行う場合について説明する。図１において、低出力の第１半導体レーザＬＤ１から射出されたＳ偏光である光束（λ１＝４０５ｎｍ）の発散光束は、第１偏光ビームスプリッタＰＢＳ１を透過し、コリメートレンズＣＯＬにより平行光束とされた後、液晶素子ＬＱを通過してＰ偏光となり、第２偏光ビームスプリッタＰＢＳ２を通過し、λ／４波長板ＱＷＰにより直線偏光から円偏光に変換され、図示しない絞りによりその光束径が規制され、対物レンズＯＢＪの中央領域Ｒ１と周辺領域Ｒ３によって厚さ０．０８７５ｍｍの保護基板を介して、ＢＤの情報記録面上に形成されるスポットとなる。
【００８３】
このとき、対物レンズＯＢＪの中間領域Ｒ２を通過した光束はＢＤの情報記録面上に集光スポットを形成しないようになっている。
【００８４】
ＢＤの情報記録面上で情報ピットにより変調された反射光束は、再び対物レンズＯＢＪ、絞りを透過した後、λ／４波長板ＱＷＰにより円偏光から直線偏光（Ｓ偏光）に変換され、第２偏光ビームスプリッタＰＢＳ２で反射した後、センサレンズＳＮによって、光検出器ＰＤの受光面上に収束する。そして、光検出器ＰＤの出力信号を用いて、２軸アクチュエータ（不図示）により対物レンズＯＢＪをフォーカシングやトラッキングさせることで、ＢＤに記録された情報を読み取ることができる。
【００８５】
次に、ＨＤに対して情報の記録を行う場合について説明する。図１において、高出力の第２半導体レーザＬＤ２から射出されたＰ偏光である光束（λ１＝４０５ｎｍ）の発散光束は、第１偏光ビームスプリッタＰＢＳ１で反射され、コリメートレンズＣＯＬにより平行光束とされた後、液晶素子ＬＱ、第２偏光ビームスプリッタＰＢＳ２を通過し、λ／４波長板ＱＷＰにより直線偏光から円偏光に変換され、対物レンズＯＢＪの中間領域Ｒ２によって厚さ０．６ｍｍの保護基板を介して、ＨＤの情報記録面上に形成されるスポットとなる。
【００８６】
このとき、対物レンズＯＢＪの中央領域Ｒ１と周辺領域Ｒ３を通過した光束はＨＤの情報記録面上に集光スポットを形成しないようになっている。
【００８７】
ＨＤの情報記録面上で情報ピットにより変調された反射光束は、再び対物レンズＯＢＪを透過した後、λ／４波長板ＱＷＰにより円偏光から直線偏光（Ｓ偏光）に変換され、第２偏光ビームスプリッタＰＢＳ２で反射した後、センサレンズＳＮによって、光検出器ＰＤの受光面上に収束する。そして、光検出器ＰＤの出力信号を用いて、２軸アクチュエータ（不図示）により対物レンズＯＢＪをフォーカシングやトラッキングさせることで、ＨＤに記録された情報を読み取りベリファイすることができる。
【００８８】
ＨＤから情報の再生を行う場合について説明する。図１において、高出力の第２半導体レーザＬＤ２から射出されたＰ偏光である光束（λ１＝４０５ｎｍ）の発散光束は、第１偏光ビームスプリッタＰＢＳ１で反射され、コリメートレンズＣＯＬにより平行光束とされた後、液晶素子ＬＱ、第２偏光ビームスプリッタＰＢＳ２を通過し、λ／４波長板ＱＷＰにより直線偏光から円偏光に変換され、対物レンズＯＢＪの中間領域Ｒ２によって厚さ０．６ｍｍの保護基板を介して、ＨＤの情報記録面上に形成されるスポットとなる。
【００８９】
このとき、対物レンズＯＢＪの中央領域Ｒ１と周辺領域Ｒ３を通過した光束はＨＤの情報記録面上に集光スポットを形成しないようになっている。
【００９０】
ＨＤの情報記録面上で情報ピットにより変調された反射光束は、再び対物レンズＯＢＪを透過した後、λ／４波長板ＱＷＰにより円偏光から直線偏光（Ｓ偏光）に変換され、第２偏光ビームスプリッタＰＢＳ２で反射した後、センサレンズＳＮによって、光検出器ＰＤの受光面上に収束する。そして、光検出器ＰＤの出力信号を用いて、２軸アクチュエータ（不図示）により対物レンズＯＢＪをフォーカシングやトラッキングさせることで、ＨＤに記録された情報を読み取ることができる。
【００９１】
第３の実施例によれば、対物レンズＯＢＪは、ＢＤに振り分ける光束の量よりも、ＨＤに振り分ける光束の量が少ないので、ＢＤに対して情報の記録及び再生を行うときは、低出力の第１半導体レーザＬＤ１を用い、ＨＤに対して情報の記録及び再生を行うときは、高出力の第２半導体レーザＬＤ２を用いるようにしている。尚、第３の実施例の対物レンズＯＢＪは、第１の実施例の対物レンズＯＢＪと同様の対物レンズであるか、さらにＲ２の面積が小さいことが好ましい。
【００９２】
本実施例において、波長は同じであるが出力が異なる第１の光源と第２の光源を用いているが、複数の光源を用いずに、単一の光源で、出力が低出力の第１の出力と、高出力の第２の出力で出射できる出力可変光源を用いてもよい。この場合、図１における第２光源ＬＤ２、偏光ビームスプリッタＰＢＳ１及び液晶素子ＬＱが不要となる。
【００９３】
しかしながら、第３の実施例において、よりＢＤの方に光量が必要な場合には、ＢＤに対して情報の記録及び再生を行うときは、高出力の第２半導体レーザＬＤ２を用い、ＨＤに対して情報の記録及び再生を行うときは、低出力の第１半導体レーザＬＤ１を用いるようにしてもよい。
【００９４】
尚、以上の実施の形態において、第１半導体レーザＬＤ１の出射光の発散角と、第２半導体レーザＬＤ２の出射光の発散角とを変更することで、ＨＤに対する絞り効果を与えても良いし、液晶素子を用いてＨＤのときのみ絞り効果を与えてもよい。
【図面の簡単な説明】
【００９５】
【図１】本発明に係る光ピックアップ装置の構成を概略的に示す図である。
【図２】本発明に係る対物レンズＯＢＪを示す図である。
【符号の説明】
【００９６】
ＣＯＬ コリメートレンズ
ＬＤ１ 第１半導体レーザ
ＬＤ２ 第２半導体レーザ
ＬＱ 液晶素子
ＯＢＪ 対物レンズ
ＰＢＳ１ 第１偏光ビームスプリッタ
ＰＢＳ２ 第２偏光ビームスプリッタ
ＰＤ 光検出器
ＰＵ１ 光ピックアップ装置
ＱＷＰ λ／４波長板
Ｒ１ 中央領域
Ｒ２ 中間領域
Ｒ３ 周辺領域
ＳＮ センサレンズ
【図１】
2009080863.tif 000003
【図２】
2009080863.tif 000004